【事件の表示】
　特許第２８４６６０２号「冷蔵庫」の請求項１乃至４に係る特許に対する特許異議の申立てについて、次のとおり決定する。
【結　論】
　特許第２８４６６０２号の請求項１乃至４に係る特許を取り消す。
【理　由】
１．手続の経緯
　
　本件特許第2846602号は平成7年6月14日に出願され、平成10年10月30日にその特許の設定登録がなされ、その後、株式会社富士通ゼネラル、渡辺　三義、シャープ株式会社より特許異議の申立がなされ、取消理由通知がなされ、その指定期間内である平成11年12月27日に訂正請求書及び特許異議意見書が提出され、訂正拒絶理由が通知され、その指定期間内である平成12年5月8日に訂正請求取下書及び意見書が提出されたものである。
　
２．本件発明
　
　本件特許第2846602号の請求項1乃至請求項4に係る発明は、特許明細書及び図面の記載からみて、その特許請求の範囲の請求項1乃至請求項4に記載された事項により特定される以下のとおりのものである。
　
【請求項１】　
「周囲に断熱材が配置されている冷蔵庫を断熱材を有する仕切板により上下２段に分け、
前記２段の内の上段に冷蔵室と野菜室を設け、前記２段の内の下段に冷凍室を設けると共に、前記冷蔵室と前記冷凍室との間に前記野菜室を配置し、
前記冷蔵庫の後方下部に圧縮機を配置し、その圧縮機の上方に熱交換器を配置し、この熱交換器の上方に送風機を配置し、
前記冷凍室は上方が開放した上部収納ケースと下部収納ケースを有し、
前記圧縮機の前方に前記冷凍室の下部収納ケースを配置し、前記熱交換器の前方に前記冷凍室の上部収納ケースを配置し、
前記野菜室は、下部収納ケースと、前記下部収納ケースの上方に位置すると共に前記下部収納ケースより上下方向で浅い上部収納ケースとを有し、
前記送風機の前方に前記野菜室の下部収納ケースが配置されるようにし、
前記野菜室の前部には、前記冷蔵庫に対して前後方向に移動可能で且つ枠体を有した引出ドアを設け、
前記野菜室の引出ドアの上端部の高さを冷蔵庫の設置面から８５０ｍｍ以上で１０００ｍｍ以下の範囲に設定し、
前記野菜室の下部収納ケースは、前記野菜室の引出ドアの前記枠体で支持し、
前記野菜室の引出ドアが閉じた状態において、前記上部収納ケースを前記野菜室の両壁面に設けた支持部で支持することで、前記下部収納ケースの上部後方に位置するようにしたことを特徴とする冷蔵庫。」
　　
【請求項２】　
「周囲に断熱材が配置されている冷蔵庫を断熱材を有する仕切板により上段と下段に分け、
前記上段に冷蔵室と野菜室を設け、前記下段に冷凍室を設けると共に前記冷蔵室と前記冷凍室の間に前記野菜室が配置されるようにし、
前記冷蔵庫の後部下方に圧縮機を、その上方に熱交換器を、更にその上方に送風機と冷気分配器を配置し、
前記送風機と前記冷気分配器の前方に前記野菜室が位置するようにし、
前記圧縮機と前記熱交換器の前方に前記下段の冷凍室が位置するようにし、
前記野菜室は、前記冷蔵庫に対して前後方向に移動可能で且つ枠体を有した引出ドアを前部に設け、
前記野菜室の引出ドアに取り付けられた前記枠体は第１の収納ケースを保持し、
前記野菜室の両壁面には、前記第１の収納ケースの上部に位置する第２の収納ケースを支持するレールを設け、
前記冷凍室は、その下方に配置される下部収納ケースと、前記下部収納ケースの上方に位置する上部収納ケースとを有し、
前記圧縮機の前方に前記下部収納ケースを配置し、
前記熱交換器の前方に前記上部収納ケースを配置したことを特徴とする冷蔵庫。」
　　　
【請求項３】　
「周囲に断熱材が配置されている冷蔵庫を断熱材を有する仕切板により上下２段に分け、
前記２段の内の上段に冷蔵室と野菜室を設け、前記２段の内の下段に冷凍室を設けると共に、前記冷蔵室と前記冷凍室との間に前記野菜室を配置し、
前記冷蔵庫の後方下部に圧縮機を配置し、その圧縮機の上方に熱交換器を配置し、この熱交換器の上方に送風機を配置し、
前記冷凍室は上方が開放した上部収納ケースと下部収納ケースを有し、
前記上部収納ケースと下部収納ケースは前記冷凍室の両側面で支持され、
前記圧縮機の前方に前記冷凍室の下部収納ケースを配置し、前記熱交換器の前方に前記冷凍室の上部収納ケースを配置し、
前記野菜室は、下部収納ケースと、前記下部収納ケースの上方に位置すると共に前記下部収納ケースより上下方向で浅い上部収納ケースとを有し、
前記送風機の前方に前記野菜室の下部収納ケースが配置されるようにし、
前記野菜室の前部には、前記冷蔵庫に対して前後方向に移動可能で且つ枠体を有した引出ドアを設け、
前記野菜室の引出ドアの上端部の高さを冷蔵庫の設置面から８５０ｍｍ以上で１０００ｍｍ以下の範囲に設定し、
前記野菜室の下部収納ケースは、前記野菜室の引出ドアの前記枠体で支持し、
前記野菜室の引出ドアが閉じた状態において、前記上部収納ケースを前記野菜室の両壁面に設けた支持部で支持することで、前記下部収納ケースの上部後方に位置するようにしたことを特徴とする冷蔵庫。」
　　　
【請求項４】　
「周囲に断熱材が配置されている冷蔵庫を断熱材を有する仕切板により上段と下段に分け、
前記上段に冷蔵室と野菜室を設け、前記下段に冷凍室を設けると共に前記冷蔵室と前記冷凍室の間に前記野菜室が配置されるようにし、
前記冷蔵庫の後部下方に圧縮機を、その上方に熱交換器を、更にその上方に送風機と冷気分配器を配置し、
前記送風機と前記冷気分配器の前方に前記野菜室が位置するようにし、
前記圧縮機と前記熱交換器の前方に前記下段の冷凍室が位置するようにし、
前記野菜室は、前記冷蔵庫に対して前後方向に移動可能で且つ枠体を有した引出ドアを前部に設け、
前記野菜室の引出ドアに取り付けられた前記枠体は第１の収納ケースを保持し、
前記野菜室の両壁面には、前記第１の収納ケースの上部に位置する第２の収納ケースを支持するレールを設け、
前記冷凍室は、その下方に配置される下部収納ケースと、前記下部収納ケースの上方に位置する上部収納ケースとを有し、
前記上部収納ケースと下部収納ケースは前記冷凍室の両側面で支持され、
前記圧縮機の前方に前記下部収納ケースを配置し、
前記熱交換器の前方に前記上部収納ケースを配置したことを特徴とする冷蔵庫。」
　
３．引用刊行物記載の内容
　
刊行物１：実願昭53-45950号（実開昭54-147854号）のマイクロフィルム
刊行物２：ＳＨＡＲＰサービスマニュアル　’80電気冷蔵庫No.1　SJ-310G　SJ-310A　昭和54年8月発行
刊行物３：実願昭59-123152号（実開昭61-38481号）のマイクロフィルム
刊行物４：特開平5-223431号公報
刊行物５：特開平6-347161号公報
　
（刊行物１）
　刊行物１には「１は内箱２と外箱３との間に断熱材４を充填した冷蔵庫本体にして、その内部中央に断熱仕切壁５を介挿して上部を冷蔵室６に又下部を冷凍室７に区画形成し、該冷蔵室６及び冷凍室７の前面開口部には開閉自在な冷蔵庫用扉８及び冷凍庫用扉９を取り付けている。‥‥‥１５は発泡スチロール等の断熱材からなる断熱成型品にして、冷気通路１６，１７，１８とファン収納室１９とを一体に形成し上記冷蔵庫本体１の背面より挿入されるものである。２０は冷凍室７の後壁と冷却器カバー２１とで形成される冷却器室にして、冷却器２２を内装しこの上部は前記冷気通路１６に連通されると共に、上記冷却器２２の下部にはドレン受皿２３及び排水管２４が設置されている。」（明細書第２頁１〜１７行）、「又冷凍室７内に吐出された冷気は一部フードボックス２６の底面に形成される間隙２７を通って冷却器室２０に回収される。‥‥‥３１は冷蔵室６の底面とガラス棚３２との間に着脱自在に挿入されるクリスパーにしてこの内部には野菜や果物等の生鮮食品が収容される。」（明細書第３頁１〜１１行）、及び「４１はダブルアイスメーカー，４２は温度調節装置，４３はコントロールボックス，４４はコンプレッサー，４５は支持脚，４６は給気ダクト３４の下端開口部に取り付けられた案内板である。」（明細書第４頁１７〜第５頁１行）と記載されている。
  上記「断熱成型品１５」、「冷却器２２」、「フードボックス２６」、「クリスパー３１」、「ダブルアイスメーカー４１」、「コンプレッサー４４」はそれぞれ本件発明の「冷気分配器」、「熱交換器」、「冷凍室の下部収納ケース」、「野菜室」、「冷凍室の上部収納ケース」、「圧縮機」に相当するから、刊行物１には、周囲に断熱材が配置されている冷蔵庫を断熱材を有する仕切板により上下２段に分け、
前記２段の内の上段に冷蔵室と野菜室を設け、前記２段の内の下段に冷凍室を設けると共に、前記冷蔵室と前記冷凍室との間に前記野菜室を配置し、
前記冷蔵庫の後方下部に圧縮機を配置し、その圧縮機の上方に熱交換器を配置し、この熱交換器の上方に送風機と冷気分配機を配置し、
前記冷凍室は上部収納ケースと下部収納ケースを有し、
前記圧縮機の前方に前記冷凍室の下部収納ケースを配置し、前記熱交換器の前方に前記冷凍室の上部収納ケースを配置したことを特徴とする冷蔵庫が記載され、図示されている。
　
（刊行物２）
　刊行物２には、最下部冷凍室のドア高さが６０６ｍｍ、その上の野菜室のドア高さが２８４ｍｍである点が記載されている。（第３頁図−１）
　
（刊行物３）
　刊行物３には、「第６図は、従来の冷蔵庫を示している。第６図を参考にして以下に従来の説明を行なう。図において、１は冷蔵庫本体で、外箱２、内箱３及び両箱間に充填した断熱材４よりなっている。 この冷蔵庫本体１は上方から下方へ冷凍室５、冷蔵室６、野菜室７と形成され、夫々に扉８，９，１０が取付けられている。そして、冷凍室５及び冷蔵室６の扉 ８，９は、一側を軸支して横開き方式としている。また、扉１０は野菜室７の側壁に設けられたレール１１ に、扉１０の両端から突出した枠１２をローラ１２ａ，１２ｂを介して乗せて、引き出し自在としている。１３は前記冷蔵室６と野菜室７を本体１の前面開口で仕切る仕切壁である。１４，１５は深さの異なる上面を開口した容器で、前記野菜室７内に設けられるものである。 この深い側の下容器１４は側部を前記枠１２にのせて扉１０の出し入れにしたがって野菜室７から出し入れされるものである。また、浅い上容器１５は前記容器１４の上に位置し、‥‥」（明細書第２頁２〜２０行）、及び「以下に本考案の一実施例を第１図〜第５図を参考にして説明するが、従来と同一構造については同一番号を符してその詳細な説明を省略する。レール１１は野菜室７の側壁に内箱３と一体で左右相対向して設けてあり、レール１１の上平面１１ａ面は上容器１５の摺動面を構成し、レール１１の下平面ｌ１ｂは扉１０の両端から突出した枠１２の左右のローラ１２ａの摺動面を構成している。　レール１１の前部側壁に設けたローラ１２ｂを介して、前記枠１２を支持せしめて、扉１０を引き出し自在としている。下容器１４は側部フランジ面１４aを枠１２に乗せて扉１０の出し入れにしたがって野菜室７から出し入れされる構成となっている。 この様に上容器１５にあっては底面の端部周縁１５ａを前記レール上平面部１１ａに乗せる事とし、前記レール１１の下平両１１ｂには枠１２に乗せる下容器とが一体のレール１１で支持される為、上下方向の組立てのバラツキがなく、所定の寸法に規制する事が出来る。」（明細書第４頁１９行〜第５頁１７行）と記載されている。
　即ち、刊行物３には野菜室の構造で、野菜室が下部収納ケースと、それより浅い上部収納ケースからなり、野菜室の下部収納ケースは、引出ドアの枠体で支持されている点、引出ドアを閉じた状態では上部収納ケースを壁に設けた支持部で支持されて下部収納ケースの上部後方に位置する点、野菜室の両側面には、下部収納ケースを支持するレールと、上部収納ケースを支持するレールがある点が記載され、図示されている。
　
（刊行物４）
　刊行物４には、「【００１０】まず、冷蔵庫の全体構成を示す図２において、冷蔵庫本体１内には、複数の貯蔵室として、冷蔵室２、第１の冷凍室３、第２の冷凍室４及び野菜室５が上から順に配設されている。上記複数の室のうちの野菜室５が、この場合、冷却室として構成されている。
【００１１】また、冷蔵室２の前面開□部は、回動可能に設けられた扉６によって開閉されるようになっている。冷凍室３，４及び野菜室５は、それぞれ引出し式の構成である。
【００１２】具体的には、第１の冷凍室３内には、扉７に一体的に取付けられた貯氷容器８が出し入れ可能に設けられている。第２の冷凍室４内には、扉９に一体的に取付けられた収納容器１０が出し入れ可能に設けられている。そして、野菜室５内には、扉１１に一体的に取付けられた収納容器１２が出し入れ可能に設けられている。尚、第１の冷凍室３内の収納容器８の上部には、補助収納容器１３が出入れ可能に設けられている。
【００１３】また、冷蔵庫本体１内の冷凍室３，４の背面側には、冷却器１４が配設されている。この冷却器１４の上方には、ファン装置１５が設けられており、このファン装置１５により冷却器１４で生成された冷気が上記各室２，３，４，５内へ供給されるように構成されている。」（発明の詳細な説明の段落【００１０】〜【００１３】）と記載されている。
　即ち、刊行物４には、冷凍室が、引出式の上方が開放した上部収納ケースと下部収納ケースを有する点、下部収納ケースの後方に冷却器（本件発明の熱交換器に相当）が位置する点、コンプレッサ（本件発明の圧縮機に相当）が冷蔵庫の後方下部にあり、冷却器がその上に有り、その上方に送風機と冷気分配器がある点が、記載され図示されている。
　
（刊行物５）
　刊行物５には、「扉３は後述の冷蔵室１３に対応する回動式の扉であり、扉４及び５は引き出し式の扉であり、扉４は冷凍室１４に対応し、扉５は野菜室１５に対応している。」（発明の詳細な説明段落【０００８】６〜９行）、「４７は内箱７の冷凍室１４に対応する左右両側壁の上部に対向するように前後方向に設けられ後述する上容器４８を出し入れ自在に支持するためのレールである。」（発明の詳細な説明の段落【００１７】１〜４行）、及び「他方、内箱７の冷凍室１４及び野菜室１５に対応する左右側面には、それぞれ後述するレール８６（野菜室のレ−ルは図示せず冷凍室のレ−ルのみ図示する）を取り付けるための溝部７５及び７６が形成してある。」（発明の詳細な説明の段落【００２２】１〜５行）と記載されている。
　即ち、刊行物５には、冷凍室の上部収納ケースと下部収納ケースが冷凍室の両側面で支持されている点が記載され、図示されている。
　
４．特許異議申立の理由の概要
　
　当審が通知した取消理由の内容は、前記刊行物１乃至刊行物５を提示して、本件請求項１乃至請求項４に係る発明は、刊行物１乃至刊行物５に記載される発明に基づいて当業者が容易に発明をすることができたとするものである。
　
５．本件各請求項に係る発明と証拠との対比・判断
　
（請求項１について）
　請求項１に係る発明と刊行物１に記載された発明を対比すると、両者は、周囲に断熱材が配置されている冷蔵庫を断熱材を有する仕切板により上下２段に分け、
前記２段の内の上段に冷蔵室と野菜室を設け、前記２段の内の下段に冷凍室を設けると共に、前記冷蔵室と前記冷凍室との間に前記野菜室を配置し、
前記冷蔵庫の後方下部に圧縮機を配置し、その圧縮機の上方に熱交換器を配置し、この熱交換器の上方に送風機を配置し、
前記冷凍室は上部収納ケースと下部収納ケースを有し、
前記圧縮機の前方に前記冷凍室の下部収納ケースを配置し、前記熱交換器の前方に前記冷凍室の上部収納ケースを配置した冷蔵庫である点で一致し、請求項１に係る発明が
（１）冷凍室の上部及び下部収納ケースが上方を開放したものとした点、
（２）野菜室の構造は、下部収納ケースと、前記下部収納ケースの上方に位置すると共に前記下部収納ケースより上下方向で浅い上部収納ケースとを有し、前記野菜室の前部には、前記冷蔵庫に対して前後方向に移動可能で且つ枠体を有した引出ドアを設け、前記野菜室の下部収納ケースは、前記野菜室の引出ドアの前記枠体で支持し、前記野菜室の引出ドアが閉じた状態において、前記上部収納ケースを前記野菜室の両壁面に設けた支持部で支持することで前記下部収納ケースの上部後方に位置するようにした点、
（３）送風機の前方に前記野菜室の下部収納ケースが配置されるようにした点、及び
（４）野菜室のドアの上端部の高さを冷蔵庫の設置面から８５０ｍｍ以上で１０００ｍｍ以下の範囲に設定した点を有するのに対し刊行物１にはそれらの点が記載されていない点で相違する。
これらの相違点について検討すると相違点（１）は、刊行物４に記載されているものであり、冷凍室の上部及び下部収納ケースをこのようにすることは当業者にとって容易である。相違点（２）は、刊行物３に記載されているものであり、刊行物１記載の野菜室をこのようにすることは当業者にとって容易である。相違点（３）については、送風機の位置を野菜室と冷凍室との間の断熱仕切板の後方位置に配置するのに代えて、野菜室後方位置に設けるようなことに格別の困難性は認められず、この点は当業者が必要に応じ適宜なし得る設計変更にすぎない。相違点（４）は、刊行物２に記載のものは野菜室のドア高さに冷凍室のドア高さを加えた高さが８９０ｍｍであり、冷凍室ドア下端から接地面までの高さ及び両ドア間の隙間を考慮しても野菜室のドア上端部の高さが冷蔵庫接地面から８５０ｍｍ以上で１０００ｍｍ以下の範囲にあるものと認められ、冷蔵庫接地面から野菜室のドア上端部の高さをこのようにすることは当業者にとって容易である。
　そして、請求項１に係る発明の効果は各刊行物に記載されたものから予測できることである。
　以上のとおりであるから、本件請求項１に係る発明は、刊行物１乃至刊行物４に記載されるものから当業者が容易に発明をすることができたものである。
　
（請求項２について）
  請求項２に係る発明と刊行物１に記載された発明を対比すると、両者は、周囲に断熱材が配置されている冷蔵庫を断熱材を有する仕切板により上段と下段に分け、
前記上段に冷蔵室と野菜室を設け、前記下段に冷凍室を設けると共に前記冷蔵室と前記冷凍室の間に前記野菜室が配置されるようにし、
前記冷蔵庫の後部下方に圧縮機を、その上方に熱交換器を、更にその上方に送風機と冷気分配器を配置し、
前記圧縮機と前記熱交換器の前方に前記下段の冷凍室が位置するようにし、前記冷凍室は、その下方に配置される下部収納ケースと、前記下部収納ケースの上方に位置する上部収納ケースとを有し、
前記圧縮機の前方に前記下部収納ケースを配置し、
前記熱交換器の前方に前記上部収納ケースを配置した冷蔵庫である点で一致し、請求項２に係る発明が、
（５）前記送風機と前記冷気分配器の前方に野菜室が位置するようにした点、及び
（６）前記野菜室は、前記冷蔵庫に対して前後方向に移動可能で且つ枠体を有した引出ドアを前部に設け、前記野菜室の引出ドアに取り付けられた前記枠体は第１の収納ケースを保持し、
前記野菜室の両壁面には、前記第１の収納ケースの上部に位置する第２の収納ケースを支持するレールを設けた点を有するのに対し刊行物１にはそれらの点が記載されていない点で相違する。
　相違点（５）に関しては、請求項１について述べたように、送風機と冷気分配器の位置を野菜室と冷凍室との間の断熱仕切板の後方位置に配置するのに代えて、野菜室後方位置に設けるようなことに格別の困難性は認められず、また、相違点（６）については、刊行物３に記載されているものであり、刊行物１に記載の野菜室をこのようにすることは当業者にとって容易である。　
　そして、請求項２に係る発明の効果は各刊行物に記載されたものから予測できることであるから、本件請求項２に係る発明は、刊行物１及び刊行物３に記載されるものから当業者が容易に発明をすることができたものである。
　
（請求項３について）
　　請求項３に係る発明と刊行物１に記載された発明を対比すると、両者は、請求項１について述べた一致点と同一の点で一致し、請求項３に係る発明が、前記（１）乃至（４）の点、及び、
（７）（冷凍室の）前記上部収納ケースと下部収納ケースは前記冷凍室の両側面で支持されている点を有するのに対し、刊行物１に記載の発明がそのような点が明記されていない点で相違する。
　この相違点について検討すると、相違点（１）乃至（４）に関しては、前記したとおり当業者が容易になし得ることである。
　また、相違点（７）に関しては、引出式の容器である場合、壁の両側で支持する点は、刊行物５または刊行物３に記載されているように常套の手段であるから、冷凍室の上部収納ケースと、下部収納ケースとをこのようにすることは当業者にとって容易である。
　そして、請求項３に係る発明の効果は各刊行物に記載されたものから予測できることである。
　以上のとおりであるから、本件請求項３に係る発明は、刊行物１乃至刊行物５に記載されるものから当業者が容易に発明をすることができたものである。
　
（請求項４について）
  請求項４に係る発明と刊行物１に記載された発明を対比すると、両者は、請求項２について述べた一致点と同一の点で一致し、請求項４に係る発明が、前記（５）、（６）、（７）の点を有しない点で相違する。
　この相違点については、前記したとおり当業者が容易になし得ることであり、また、請求項４に係る発明の効果は各刊行物に記載されたものから予測できることであるから、本件請求項４に係る発明は、刊行物１、刊行物３及び刊行物５に記載されるものから当業者が容易に発明をすることができたものである。
　
５．むすび
　
　以上のとおりであるから、本件請求項１乃至請求項４に係る各発明は刊行物１乃至刊行物５に記載されるものから当業者が容易に発明をすることができたものであるから、特許法第２９条第２項の規定により特許をうけることができないものであり、これら本件請求項１乃至請求項４に係る特許は、特許法第１１３条第１項第２号の規定により取り消されるべきものである。
　
　よって、結論のとおり決定する。
【異議決定日】
平成１２年６月２０日（２０００．６．２０）